(57)【要約】【課題】繰り出し／繰り入れ時の釣り糸の絡みを防ぎ、足元の視野を広く確保することができる釣り糸保持具を実現することにある。【解決手段】本発明の釣り糸保持具１は、ボード２と、ボード２の上面に配置された複数のパイプ６・７と、ボード２の長尺方向の一端に配置された、身体に装着するための装着部３とを備え、複数の上記パイプ６は、ボード２の長尺方向に沿って、交互にボード２の短尺方向に位置をずらして配置され、各パイプ６・７は、ボード２の短尺方向において上に凸に曲がっている。【選択図】図１
2011217612.tif 000002
【特許請求の範囲】
【請求項１】
基部と、
上記基部の上面に配置された複数の突起部と、
上記基部の長尺方向の一端に配置された、身体に装着するための装着部とを備え、
複数の上記突起部は、上記基部の長尺方向に沿って、交互に上記基部の短尺方向に位置をずらして配置され、
各突起部は、上記基部の短尺方向において上に凸に曲がった棒状部材から構成されていることを特徴とする釣り糸保持具。
【請求項２】
上記基部の下面側に、内部に空気層を有する浮き部材を備えることを特徴とする請求項１に記載の釣り糸保持具。
【請求項３】
上記基部は、ネット状であることを特徴とする請求項１または２に記載の釣り糸保持具。
【請求項４】
上記基部の長尺方向における上記装着部とは反対側の端に配置された上記突起部は、他の上記突起部よりも上記基部の上面からの高さが高いことを特徴とする請求項１から３のいずれか一項に記載の釣り糸保持具。
【発明の詳細な説明】
【技術分野】
【０００１】
本発明は、釣り糸を効率良く保持する釣り糸保持具に関する。
【背景技術】
【０００２】
従来の釣り糸の保持具には、籠型のもの（ラインバスケット）がある（例えば、非特許文献１参照）。このような釣り糸保持具は、フライフィッシング等において投げる釣り糸を収納しておくために用いられる。
【０００３】
以下、図８、図９、図１０を参照して、従来の釣り糸保持具について説明する。図８は、従来の釣り糸保持具２０の構成を示す平面図であり、図９は、従来の釣り糸保持具２０の構成を示す側面図であり、図１０は、従来の釣り糸保持具２０の構成を示す背面図である。
【０００４】
釣り糸保持具２０は、籠形をしており、籠形の内側の底面に複数の突起２１を有する。釣り糸保持具２０は、籠形の外側の側面に、ベルト通し２２を備える。利用者（釣り人）は、ベルト通し２２に通したベルトによって釣り糸保持具２０を腰に装着し、使用する。また、利用者は、釣り糸を釣り糸保持具２０の中に繰り入れて輪状に収納し、必要なときに釣り糸保持具２０から釣り糸を繰り出して使用する。このとき、突起部２１によって、釣り糸が絡むのが防止される。
【先行技術文献】
【非特許文献】
【０００５】
【非特許文献１】「TIEMCO 2010 LURE & FLY FISHING CATALOG」、株式会社ティムコ、２０１０年、ｐ.１６３
【発明の概要】
【発明が解決しようとする課題】
【０００６】
しかしながら、上記従来の構成では、以下の問題を生じる。
【０００７】
従来の釣り糸保持具２０は、籠形のため輪状に収納した釣り糸の重なりが密になるので釣り糸の絡みが発生しやすい。また、釣り糸が籠形の外にはみ出した状態で収納されると、釣り糸の絡みの原因になる。そのため、利用者は、釣り糸を釣り糸保持具２０に繰り入れる際に、広さが限られた籠形の開口部２３の外に一筋の釣り糸すらはみ出さないように注意する必要があった。また、釣り糸の絡みを防止するために、利用者は、釣り糸保持具２０の中に、輪状に順序よく釣り糸を繰り入れる必要があった。また、籠形の釣り糸保持具２０は、重いという欠点があった。また、釣り糸保持具２０は、籠形のため幅が大きく、身体の前面に装着して使用されるので、利用者は足元が見にくくなる。なお、フライフィッシングにおいては、遠投時に釣り糸を強く長く引く必要がある。しかしながら、釣り糸保持具２０は開口部２３が腰の高さに位置するので、手や腕が釣り糸保持具２０に接触することがあるため、釣り糸保持具２０は遠投を困難にする。また、釣り糸保持具２０が籠形であることで、利用者は釣り糸を開口部２３内に正確に繰り入れなければならないという注意を払う必要がある。
【０００８】
本発明は、上記の問題点に鑑みてなされたものであり、その目的は、繰り出し／繰り入れ時の釣り糸の絡みを防ぎ、足元の視野を広く確保することができる釣り糸保持具を実現することにある。
【課題を解決するための手段】
【０００９】
本発明に係る釣り糸保持具は、上記の課題を解決するために、基部と、上記基部の上面に配置された複数の突起部と、上記基部の長尺方向の一端に配置された、身体に装着するための装着部とを備え、複数の上記突起部は、上記基部の長尺方向に沿って、交互に上記基部の短尺方向に位置をずらして配置され、各突起部は、上記基部の短尺方向において上に凸に曲がった棒状部材から構成されていることを特徴としている。
【００１０】
上記の構成によれば、利用者が釣り糸保持具に釣り糸を繰り入れる（収納する）際に、従来の籠形の釣り糸保持具のように広さの限られた開口部の中に釣り糸を入れなければならないという制限がない。そのため、利用者は、釣り糸を容易に釣り糸保持具に繰り入れることができる。また、突起部が上に凸に曲がった棒状部材からなるため、利用者は釣り糸を滑らかに繰り出すことができる。また、上記の構成によれば、基部の短尺方向を短く構成することができるため、身体の横側に釣り糸保持具を装着することができる。そのため、利用者は足元の視野を広く確保することができる。またそのため、遠投を容易に行うことができる。
【００１１】
また、上記基部の下面側に、内部に空気層を有する浮き部材を備える構成であってもよい。
【００１２】
上記の構成によれば、釣り糸保持具は浮力を得て水に浮くことができる。そのため、水上に釣り糸保持具を浮かべて使用することができる。
【００１３】
また、上記基部は、ネット状であってもよい。
【００１４】
上記の構成によれば、基部に水が溜まらないため、釣り糸保持具が軽量になる。また、基部がネット状であることにより、足元の視認性を高めることができる。
【００１５】
また、上記基部の長尺方向における上記装着部とは反対側の端に配置された上記突起部は、他の上記突起部よりも上記基部の上面からの高さが高い構成であってもよい。
【００１６】
上記の構成によれば、基部の上面に掛けられた釣り糸の端部からの脱落を防止することができる。
【発明の効果】
【００１７】
以上のように、本発明に係る釣り糸保持具は、基部と、上記基部の上面に配置された複数の突起部と、上記基部の長尺方向の一端に配置された、身体に装着するための装着部とを備え、複数の上記突起部は、上記基部の長尺方向に沿って、交互に上記基部の短尺方向に位置をずらして配置され、各突起部は、上記基部の短尺方向において上に凸に曲がった棒状部材から構成されている。
【００１８】
よって、利用者が釣り糸保持具に釣り糸を繰り入れる（収納する）際に、従来の籠形の釣り糸保持具のように広さの限られた開口部の中に釣り糸を入れなければならないという制限がない。そのため、利用者は、釣り糸を容易に釣り糸保持具に繰り入れることができ、また、釣り糸が絡みにくい。また、突起部が上に凸に曲がった棒状部材からなるため、利用者は釣り糸を滑らかに繰り出すことができる。
【図面の簡単な説明】
【００１９】
【図１】本発明に係る釣り糸保持具の構成を示す平面図である。
【図２】本発明に係る釣り糸保持具の構成を示す下面図である。
【図３】本発明に係る釣り糸保持具の構成を示す正面図である。
【図４】図１の矢印Ａから見た矢視図である。
【図５】図１の矢印Ｂから見た矢視図である。
【図６】本発明に係る釣り糸保持具を利用者の腿に装着した状態を示す図である。
【図７】本発明に係る釣り糸保持具を利用者の腰に装着した状態を示す図である。
【図８】従来の釣り糸保持具の構成を示す平面図である。
【図９】従来の釣り糸保持具の構成を示す側面図である。
【図１０】従来の釣り糸保持具の構成を示す背面図である。
【発明を実施するための形態】
【００２０】
以下、本発明の実施の形態について、図１から図７を参照して詳細に説明する。
【００２１】
＜釣り糸保持具の構成＞
図１は、本発明の実施の形態の釣り糸保持具１の構成を示す平面図であり、図２は、釣り糸保持具１の構成を示す下面図であり、図３は、釣り糸保持具１の構成を示す正面図であり、図４は、図１の矢印Ａから見た矢視図であり、図５は、図１の矢印Ｂから見た矢視図である。
【００２２】
釣り糸保持具１は、樹脂製のネット状のボード２を基部として備える。ボード２は、その上面に沿ったある方向（図１における左右方向）における長さが、それに垂直な方向（図１における上下方向）における長さより長い。釣り糸保持具１は、平面状に広がったボード２の長尺方向の一端に、装着部３を備える。装着部３は、ボード２と同じく樹脂からなり、ボード２に対して下方に伸びる。装着部３は、ベルト通し４と、ベルト通し４を通って固定されるベルト５とを備える。装着部３は、利用者の腰の形に沿うように、曲面になっている。なお、漁網等のネットを用いてボード２を構成してもよい。
【００２３】
釣り糸保持具１は、ボード２の上面に、釣り糸９の絡みを防ぐ突起部として設けられるパイプ（棒状部材）６・７を複数備える。パイプ６・７は、それぞれ上に凸になるように一部が弧状に曲げられており、その両端がボード２の上面に結合している。また、各パイプ６・７は、その両端がボード２の短尺方向に沿うように配置される。また、複数のパイプ６は、ボード２の長尺方向に沿ってジグザグ（千鳥状）に配置される。すなわち、ボード２の長尺方向に並んだ複数のパイプ６は、交互にボード２の短尺方向に位置をずらして配置されている。また、装着部３から離れた端に設けられたパイプ７は、他のパイプ６よりも高く、かつ、他のパイプ６よりもボード２の短尺方向の長さが長くなるように構成する。これにより、ボード２上に掛けた釣り糸９の脱落を防止することができる。
【００２４】
釣り糸保持具１は、ボード２の長尺方向に沿って、ボード２の下面に対して垂直に接続される補強板（浮き部材）８を備える。補強板８は、内部に中空の空気層を備える。そのため、釣り糸保持具１は、水中で浮力を得て浮くことができる。なお、補強板８を複数設け、補強板８の底部がボード２の上面と平行になるよう構成し、釣り糸保持具１を地面または船床の上に載置できるようにしてもよい。
【００２５】
釣り糸保持具１は、ボード２が上面から下面に貫通した穴を有するネット状であるので、ボード２上の水を抜くことができ、また、パイプ６・７、および補強板８が、中空構造であるので、釣り糸保持具１は、軽量で、運搬および携帯がしやすい。
【００２６】
＜釣り糸保持具の使用方法＞
図６は、釣り糸保持具１を利用者の腿に装着した状態を示す図であり、図７は、釣り糸保持具１を利用者の腰に装着した状態を示す図である。利用者は、ベルト５を用いて釣り糸保持具１を腿または腰に装着する。釣り糸保持具１では、ボード２の短尺方向の寸法を小さくできるので、利用者は身体の横側に釣り糸保持具１を装着することができる。これにより、利用者は足元の視野を広く確保することができる。また、ボード２がネット状であるので、利用者は釣り糸保持具１を通して足元を視認することができる。また、手や腕が釣り糸保持具１に当たらないように釣り糸保持具１を装着することができるので、利用者は遠投を容易にすることができる。
【００２７】
利用者は、リール１０から出た所望の長さの釣り糸９をボード２の上に掛けることで、釣り糸保持具１への釣り糸９の繰り入れ（収納）を行う。このとき、利用者は、ジグザグに配置されたパイプ６の間に１本から数本の釣り糸９が通るように、釣り糸９をボード２の前側（短尺方向における一方の側）および後側（短尺方向における他方の側）に交互に、前側および後側でほぼ同じ長さになるよう掛け垂らす。このとき、利用者は、装着部３側のパイプ６の間から順序よく他端側に向かって釣り糸９を掛け垂らす。なお、釣り糸９の、図６、図７において矢印で示す先に、釣り針がある。利用者がロッド（竿）等を用いて釣り糸９を投げて釣り糸保持具１から釣り糸９を繰り出す時、水に濡れたつづら状の釣り糸９は、緩やかなカーブを有するパイプ６によって滑りよくスムースに、釣り糸保持具１上から繰り出される。
【００２８】
なお、パイプ６をジグザグに配置することで、利用者が釣り糸９を繰り入れる時に、釣り糸９を配置できる幅が広くなり、釣り糸９の繰り入れが容易になる。
【００２９】
利用者は釣り糸保持具１に掛け垂らす釣り糸９の長さを容易に調節できる。そのため、利用者は釣り糸保持具１に掛け垂らす釣り糸９の長さを、草木がある所では、釣り糸９が草木に絡まらない長さに調節し、岩場では、岩に引っかからない長さに調節し、また、利用者自身が釣り糸９を踏まない長さに調節して、釣り糸９の損傷を防止することができる。
【００３０】
なお、釣り糸保持具１は、空気層を有する補強板８および中に空気層を有するパイプ６・７により、水上に浮かぶ。そのため、湖等で水の中に立ち込んで釣りをする場合、利用者は釣り糸保持具１を身体にベルト等で直接固定せず、釣り糸保持具１を水上に浮かべて利用してもよい。この際、釣り糸保持具１と身体とをロープ等により結びつけて、釣り糸保持具１が利用者から遠く離れないようにしてもよい。水上で利用する場合も、利用者は釣り糸保持具１のボード２上のパイプ６・７の間に、釣り糸９を手前から順序よく繰り入れる（配置する）ことにより、釣り糸９を投げる際に滑らかに釣り糸９を繰り出すことができる。このように、釣りの目的や場所に応じて、釣り糸保持具１を様々な状況で利用することができる。
【００３１】
また、釣り糸保持具１を地面または船床等に載置して利用する場合も同様に、利用者は釣り糸保持具１のボード２上のパイプ６・７の間に、釣り糸９を手前から順序よく繰り入れることにより、釣り糸９を投げる際に滑らかに釣り糸９を繰り出すことができる。なお、パイプ６の数は適宜増やしてもよい。
【００３２】
本実施の形態の釣り糸保持具１は、釣り糸９を繰り入れる（収納する）際に、従来の籠形の釣り糸保持具のように広さの限られた開口部の中に釣り糸を入れなければならないという制限がない。そのため、利用者は、釣り糸９を容易に釣り糸保持具１に繰り入れることができ、また、繰り入れる釣り糸９の長さを長くすることができる。また、本実施の形態の釣り糸保持具１では、釣り糸９の重なりが密にならないので、釣り糸９の絡まりを防止することができる。また、本実施の形態の釣り糸保持具１は、籠形ではないので、利用者が、釣り糸９を釣り糸保持具１に繰り入れる際に、正確に籠形に配置するという注意を払う必要がなくなる。よって、利用者は釣りに集中することができる。
【００３３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００３４】
本発明は、釣り糸を一時的に保持する釣り糸保持具に利用することができる。
【符号の説明】
【００３５】
１    釣り糸保持具
２    ボード（基部）
３    装着部
４    ベルト通し
５    ベルト
６、７    パイプ（突起部、棒状部材）
８    補強板（浮き部材）
９    釣り糸
【図１】
2011217612.tif 000003
【図２】
2011217612.tif 000004
【図３】
2011217612.tif 000005
【図４】
2011217612.tif 000006
【図５】
2011217612.tif 000007
【図６】
2011217612.tif 000008
【図７】
2011217612.tif 000009
【図８】
2011217612.tif 000010
【図９】
2011217612.tif 000011
【図１０】
2011217612.tif 000012